(57)【要約】【課題】  低消費電力用に仕様変更した場合、ヒータを設けない吹出開口の一部分から冷風が吹き出てしまうことがなく、しかも温度センサによってヒータの温度を確実に検知することのできる暖房装置を提供する。【解決手段】  吸込開口１３と吹出開口１４とを有する本体ケース１１と、吹出開口１４に設けられたＰＴＣヒータ２２と、吸込開口１３から空気を吸い込んで吹出開口１４から吹き出させる送風ファンＦとを備え、送風ファンＦから送られてくる空気をＰＴＣヒータ２２に向ける整流部材３０を吹出開口１４の一部に設け、整流部材３０に保持部３４を形成し、この保持部３４にヒータの温度を検知する温度ヒューズ３５を取り付けた。【選択図】  図２
2006234192.tif 000002
【特許請求の範囲】
【請求項１】
吸込開口と吹出開口とを有する本体ケースと、前記吹出開口に設けられたヒータと、前記吸込開口から空気を吸い込んで前記吹出開口から吹き出させる送風ファンとを備えた暖房装置であって、
前記送風ファンから送られてくる空気を前記ヒータに向ける整流部材を前記吹出開口の一部に設け、
前記整流部材に保持部を形成し、
この保持部に前記ヒータの温度を検知する温度検知部材を取り付けたことを特徴とする暖房装置。
【請求項２】
前記整流部材は、長手方向と直交する方向のヒータの幅の整数倍の幅を有していることを特徴とする請求項１に記載の暖房装置。
【請求項３】
前記吹出開口内の空気の流速の遅い部分に前記整流部材を配置したことを特徴とする請求項１または請求項２に記載の暖房装置。
【請求項４】
前記整流部材は耐熱樹脂製で形成されていることを特徴とする請求項１ないし請求項３のいずれか１つに記載の暖房装置。
【発明の詳細な説明】
【技術分野】
【０００１】
この発明は、送風ファンを内蔵した本体ケースの吹出開口にヒータを設け、この吹出開口からそのヒータで暖めた空気を吹き出させる暖房装置に関する。
【背景技術】
【０００２】
従来から、送風ファンを内蔵した空調装置が知られている（特許文献１参照）。
【０００３】
かかる空調装置は、吸込開口と吹出開口とを有する本体ケースと、その吹出開口に並設された複数のヒータと、本体ケース内に設けられた送風ファン等とを備えている。
【０００４】
そして、送風ファンの回転により吸込開口から空気が吸い込まれるとともに、この吸い込まれた空気がヒータにより暖められて吹出開口から吹き出していくものである。
【特許文献１】特開２００４−１２５１９３号公報
【発明の開示】
【発明が解決しようとする課題】
【０００５】
ところで、このような空調装置では、本体ケースの大きさや形状を変えずに低消費電力用に仕様変更する場合、吹出開口に設けるヒータの本数を減らせばよいが、その減らした分だけヒータを取り付けない箇所が開いたままとなり、その箇所の開口から冷風が吹き出てしまう問題が発生する。
【０００６】
また、吹出開口の縁部にはヒータの温度を検知するヒューズ等を設けて安全を図っているが、その縁部近傍のヒータを外してヒータの本数を減らした場合、ヒューズとこのヒューズに近いヒータまでの距離が大きくなってしまうことにより、そのヒューズでヒータの温度を検知することができなくなってしまう等の問題が発生する。
【０００７】
この発明の目的は、低消費電力用に仕様変更した場合、ヒータを設けない吹出開口の一部分から冷風が吹き出てしまうことがなく、しかも温度検知部材によってヒータの温度を確実に検知することのできる暖房装置を提供することにある。
【課題を解決するための手段】
【０００８】
請求項１の発明は、吸込開口と吹出開口とを有する本体ケースと、前記吹出開口に設けられたヒータと、前記吸込開口から空気を吸い込んで前記吹出開口から吹き出させる送風ファンとを備えた暖房装置であって、
前記送風ファンから送られてくる空気を前記ヒータに向ける整流部材を前記吹出開口の一部に設け、
前記整流部材に保持部を形成し、
この保持部に前記ヒータの温度を検知する温度検知部材を取り付けたことを特徴とする。
【０００９】
請求項２の発明は、前記整流部材は、長手方向と直交する方向のヒータの幅の整数倍の幅を有していることを特徴とする。
【００１０】
請求項３の発明は、前記吹出開口内の空気の流速の遅い部分に前記整流部材を配置したことを特徴とする。
【００１１】
請求項４の発明は、前記整流部材は耐熱樹脂製で形成されていることを特徴とする。
【発明の効果】
【００１２】
この発明によれば、低消費電力用に仕様変更した場合、ヒータを設けない吹出開口の一部分から冷風が吹き出てしまうことがなく、しかも温度検知部材によってヒータの温度を確実に検知することができる。
【発明を実施するための最良の形態】
【００１３】
以下、この発明に係わる暖房装置の実施の形態である実施例を図面に基づいて説明する。
【実施例】
【００１４】
［第１実施例］
図１および図２は暖房装置の１つである浴室空調装置１０を示したものである。この浴室空調装置１０は、浴室の天井Ｔ内に取り付ける樹脂製の本体ケース１１と、この本体ケース１１を覆った金属製のカバーケース５０と、本体ケース１１の下部に取り付けられた底板６０とを有している。この本体ケース１１の下面には、浴室内(図示せず)の空気を吸い込む吸込開口１３と浴室内へ風を吹き出す吹出開口１４とが設けられている。吸込開口１３は底板６０に形成され、この底板６０が吹出開口１４の右側縁部（図２において）を形成している。
【００１５】
吹出開口１４内にはヒータユニット２０が設けられており、吹出開口１４から吹き出す空気をそのヒータユニット２０の複数のＰＴＣヒータ（自己温度制御機能付きヒータ）２２によって暖めるようになっている。
【００１６】
本体ケース１１の側方には排気口１６が設けられており、この排気口１６にダクト接続部２００が接続され、このダクト接続部２００に接続された排気ダクト２０１を介して室外に連通されている。本体ケース１１内にはダンパＤが設けられており、図２に示す実線位置と破線位置と鎖線位置とに切り換え可能となっている。なお、ダンパＤは任意の中間位置に位置できるように設定してもよい。また、本体ケース１１の下面には図示しないフロントパネルが取り付けられている。
【００１７】
ダンパＤは、図示しないモータにより軸Ｊ回りに回動して位置が切り換わるものであり、実線位置（暖房モード位置）に切り換えられると、吸込開口１３と吹出開口１４とがダンパ室１７を介して連通され、ＰＴＣヒータ２２の通電により暖房モードとなり、吸込開口１３からダンパ室１７を介して吹出開口１４へと空気が流れ、浴室内を暖房する。
【００１８】
ダンパＤが破線位置（換気モード位置）に切り換えられると、吸込開口１３と排気口１６とがダンパ室１７を介して連通されて換気モードとなり、吸込開口１３からダンパ室１７を介して排気口１６へと空気が流れて換気が行われる。また、ダンパＤが中間位置である鎖線位置（乾燥モード位置）に切り換わると、ＰＴＣヒータ２２の通電により乾燥モードとなり、吸込開口１３からダンパ室１７を介して排気口１６へと空気が流れて湿った空気が室外へ排出され、代わりに浴室のドア（図示せず）に設けてある吸込口（図示せず）から乾いた空気を取り入れるとともに、吸込開口１３,ダンパ室１７,吹出開口１４へと空気が流れて浴室内の温度が適度に上がり、衣類の乾燥が行えるようになっている。この状態において、ＰＴＣヒータ２２を非通電にすると、室内空気を排気することにより換気しながら、吹き出し開口１４から室内空気が送風され、涼風モードになる。
【００１９】
浴室空調装置１０の運転を停止させたときには、ダンパＤが実線位置に切り換えられると共にＰＴＣヒータ２２が非通電状態になるようになっている。
【００２０】
本体ケース１１内には図１および図２に示すように送風ファン（送風機）Ｆが設けられており、この送風ファンＦによって空気を吸込開口１３から吸気し、その吸気した空気を吹出開口１４から吹き出させたり、排気口１６から排気させたりするようになっている。Ｍは送風ファンＦを回転させるモータである。
【００２１】
ヒータユニット２０は、吹出開口１４内に取り付けられた矩形形状の枠体２１と、この枠体２１内に取り付けられた３本のＰＴＣヒータ２２とを備えている。枠体２１の上部の外周面にはベース２１Ｂが形成されている。このベース２１Ｂは、図２および図５に示す底板６０に形成した補強リブ６１に当接しており、ヒータユニット２０の取り付け位置を規制している。なお、６２〜６５はネジボスである。
【００２２】
また、ダンパＤによって吹出開口１４へ案内される空気は、ヒータユニット２０の枠体２１内を通って枠体２１の下面開口から吹き出すようになっており、枠体２１の下面開口が実質的な吹出開口１４となっている。
【００２３】
ＰＴＣヒータ２２は、ヒータ板２２Ａと、このヒータ板２２Ａの両側部に設けた放熱フィン２２Ｂ等とを有している。
【００２４】
枠体２１は、４本のＰＴＣヒータ２２が取り付けられるようになっており、４本目のＰＴＣヒータが取り付けられる位置（図２において枠体２１の右端部）には、耐熱性樹脂である例えばＰＢＴ（ポリブチレンテレフタレート）からなる整流部材３０が取り付けられている。
【００２５】
整流部材３０は、図３および図４に示すように、送風ファンＦによって送風された空気を受ける平板状の受部３１と、この受部３１によって受けた空気をＰＴＣヒータ２２側へ案内する湾曲したガイド部３２と、受部３１の下面（図４において）に形成されるとともに下方に延びた保持壁部３３とを有している。
【００２６】
整流部材３０の幅Ｗ１は、ＰＴＣヒータ２２の幅Ｗ２（長手方向と直交する方向の幅）とほぼ同一に設定されている。
【００２７】
そして、保持壁部３３とガイド部３２との間に保持部３４が形成され、この保持部３４に温度ヒューズ（温度検知部材）３５が取り付けられている。また、ガイド部３２および保持壁部３３の両端部には、温度ヒューズ３５のリード線３５Ｒが保持部３４から外れないように突起３２ａ,３３ａがそれぞれ設けられている。
【００２８】
また、整流部材３０は、ＰＴＣヒータ２２と同じようにして枠体２１に着脱可能に取り付けられており、どの位置のＰＴＣヒータ２２であっても交換可能に取り付けられるようになっている。この実施例では、左から４本目（図２において）のＰＴＣヒータ２２を取り外して、低消費電力用に仕様変更した浴室空調装置１０の一例を示したものである。
【００２９】
なお、整流部材３０は整流板のように板状でなくてもよく、また空気をわずかでも吹き出し開口１４へ導くようになっていればよい。
［動  作］
次に、上記のように構成される浴室空調装置１０の動作について説明する。
【００３０】
図示しないリモコンの操作により暖房モードが設定されると、ダンパＤが実線位置に切り換わるとともにＰＴＣヒータ２２が通電され、送風ファンＦが回転される。
【００３１】
送風ファンＦの回転により、浴室内の空気が吸込開口１３へ吸い込まれていき、この吸い込まれた空気は送風ファンＦによりダンパ室１７へ送風される。
【００３２】
そして、ダンパ室１７へ送風された空気は、ダンパＤにより下方へほぼ９０度向きが変えられてヒータユニット２０の枠体２１内へ流れていく。
【００３３】
また、ダンパＤによって向きが変えられた空気の一部は、整流部材３０の受部３１に当たり、さらに整流部材３０のガイド部３２によって枠体２１内のＰＴＣヒータ２２へ整流されながら案内される。この整流により、空気が流れる際に発生する騒音を小さくすることができる。
【００３４】
枠体２１内へ流れた空気は、ＰＴＣヒータ２２により加熱されて、枠体２１の下面開口すなわち吹出開口１４から浴室へ吹き出していく。これにより、浴室の暖房が行われる。
【００３５】
上述のように、４本目のＰＴＣヒータが取り付けられる位置に整流部材３０が取り付けられているので、整流部材３０の位置から下方へ冷風が吹き出してしまうことが防止される。
【００３６】
また、整流部材３０の保持部３４に温度ヒューズ３５が取り付けられているので、左から３本目（図１および図２おいて）のＰＴＣヒータ２２の温度を検知することができる。しかも、吹出開口１４内すなわち枠体２１内を流れる空気の流速は右側へいくにしたがって遅くなるので、左から３本目のＰＴＣヒータ２２の温度が最も高くなり、このため全てのＰＴＣヒータ２２の温度上昇の異常を確実に検出することができる。
【００３７】
さらに、流速が最も遅い部分となる枠体２１内のＰＴＣヒータの位置（左から４本目の位置）に整流部材３０を取り付けたものであるから、吹出開口１４から吹き出す空気の流速に与える影響を最小限に抑えることができる。
【００３８】
換気モードが設定された場合には、ダンパＤが図２に示す実線の位置に切り換えられて、ＰＴＣヒータ２２が非通電状態にされる。そして、送風ファンＦの回転により、浴室の空気が吸込開口１３へ吸い込まれていく。この吸込開口１３へ吸い込まれた空気は、送風ファンＦによりダンパ室１７を介して排気口１６へ送風され、さらに排気口１６から排気ダクト（図示せず）を介して室外へ排気され、図示しない浴室のドアに設けてあるガラリ（アンダーカット）等から乾燥した空気が浴室へ入り、浴室内での衣類の乾燥が行える。
【００３９】
乾燥モードが設定されると、ダンパＤが鎖線位置に切り換えられてヒータユニット２０のＰＴＣヒータ２２が通電される。そして、送風ファンＦの回転により、浴室の空気が吸込開口１３へ吸い込まれていく。この吸込開口１３へ吸い込まれた空気は、送風ファンＦによりダンパ室１７へ送風される。
【００４０】
ダンパ室１７へ送風された空気の一部は、ダンパＤにより向きが変えられてヒータユニット２０の枠体２１内を通り、ＰＴＣヒータ２２により加熱されて吹出開口１４から浴室へ吹き出していく。これにより浴室が暖められていく。
【００４１】
また、ダンパ室１７へ送風された湿った他の空気は、排気口１６から排気ダクト（図示せず）を介して室外へ排気される。他方、図示しない浴室のドアに設けてあるガラリ（アンダーカット）等から乾燥した空気が浴室へ入り、浴室の乾燥が行われる。
【００４２】
涼風モードが設定されると、ダンパＤは鎖線位置に切り換えられるとともにＰＴＣヒータ２２が非通電となる。そして、ダンパＤが鎖線位置に切り換わることにより、吸込開口１３へ吸い込まれた空気は、排気口１６から排気されながらダンパ室１７を介して吹出開口１４へ流れ、ＰＴＣヒータ２２が非通電であることにより、吹出開口１４から涼しい風が吹き出す。
【００４３】
上記実施例では、左から４本目（図２において）のＰＴＣヒータ２２を取り外して整流部材３０を取り付けたものについて説明したが、必ずしもこの位置に整流部材３０を取り付ける必要はなく、どの位置のＰＴＣヒータ２２を外してもよく、その外した位置に整流部材３０を取り付ければよい。この場合も、ＰＴＣヒータ２２を外した位置に整流部材３０を取り付けるものであるから、ＰＴＣヒータ２２を外した部分の開口から冷風が吹き出てしまうことがない。また、整流部材３０の保持部３４に温度ヒューズ３５を取り付けていることにより、整流部材３０をどの位置に設けても整流部材３０に隣接するＰＴＣヒータ２２の温度を確実に検出することができることになる。
【００４４】
さらに、整流部材３０の保持部３４に温度ヒューズ３５を取り付けているが、温度ヒューズ３５以外の温度センサを取り付けてもよい。
【００４５】
また、ＰＴＣヒータ２２と同じ幅Ｗ２の整流部材３０をヒータユニット２０の枠体２１内に取り付けているが、枠体２１に取り付けるＰＴＣヒータ２２の本数を２本または１本にする場合には、その幅Ｗ２の２倍または３倍の幅を有する整流部材を取り付けてもよい。
［第２実施例］
図６および図７は第２実施例の浴室空調装置１００を示したものである。この浴室空調装置１００は、浴室の天井Ｔ内に取り付ける樹脂製の本体ケース１１１（図８参照）と、この本体ケース１１１を覆った金属製のカバーケース５０とを有している。  本体ケース１１１の下面には、第１実施例と同様に図示しない吸気口や吹出開口が設けられており、また、本体ケース１１１内には、ヒータユニットやダンパが設けられており、第１実施例と全く同一の構成となっているのでその説明は省略する。
【００４６】
カバーケース５０の上面５０Ａには、図８に示すように端子台７０が配置され、この端子台７０を覆う金属製のカバー８０がネジＮ１,Ｎ２によりネジ止めされている。また、カバーケース５０にはネジ止め用のネジ孔５１,５２が形成されている。７１は電源コード、７２はリモコン用コードである。
【００４７】
本体ケース１１１には、図９に示すように、送風ファンＦ（図２参照）を回転自在に配置したファンケース部１１１Ａが形成され、このファンケース部１１１Ａの上面１１１Ａａには、カバーケース５０のネジ孔５１（図８参照）に対応した位置に円筒状の規制リブ１１２が形成されている。また、その上面１１１Ａａには各種のハーネスＨ１〜Ｈ３が配線されている。
【００４８】
規制リブ１１２により、例えばハーネスＨ２が鎖線で示すように配線されてしまうことが規制され、実線で示すように配線される。
【００４９】
そして、カバー８０をカバーケース５０にネジ止めしたネジＮ１のネジ部Ｎ１ａは、図１０に示すように、カバーケース５０の規制リブ１１２の孔１１２ａ内に入り込んでいる。
【００５０】
このように、カバー８０をカバーケース５０にネジ止めすると、ネジＮ１のネジ部Ｎ１ａは規制リブ１１２の孔１１２ａ内に入り込むので、ハーネスＨ２が図９の実線で示すように規制されて配線されることにより、ネジ止めの際にそのネジ部Ｎ１ａによってハーネスＨ２を傷付けてしまうことを未然に防止することができる。
【００５１】
この第２実施例では、カバー８０を取り付けるネジ孔５１に対向した位置に円筒状のリブ１１２をファンケース部１１１Ａの上面１１１Ａａに設けているが、カバーケース５０の他のネジ孔に対応した位置に円筒状の規制リブを本体ケース１１１に設けてもよく、また、リブ１１２は筒状でなくてもよい。例えば、ネジ止めした際のネジＮを囲むように複数の突起を設けてもよい。
【図面の簡単な説明】
【００５２】
【図１】この発明に係る浴室空調装置を示した底面図である。
【図２】図１に示す浴室空調装置の構成を示した断面図である。
【図３】整流部材を示した底面図である。
【図４】図３の整流部材の側面図である。
【図５】本体ケースの下部の底板を示した平面図である。
【図６】第２実施例の浴室空調装置を示した側面図である。
【図７】図６の浴室空調装置の平面図である。
【図８】カバーを取り外した浴室空調装置の平面図である。
【図９】図６の浴室空調装置の本体ケースを示した平面図である。
【図１０】カバーをカバーケースにネジ止めした構造を示した部分拡大断面図である。
【符号の説明】
【００５３】
１０              浴室空調装置
１１              本体ケース
１３              吸込開口
１４              吹出開口
２２              ＰＴＣヒータ
３０              整流部材
３４              保持部
３５              温度ヒューズ
Ｆ              送風ファン
【図１】
2006234192.tif 000003
【図２】
2006234192.tif 000004
【図３】
2006234192.tif 000005
【図４】
2006234192.tif 000006
【図５】
2006234192.tif 000007
【図６】
2006234192.tif 000008
【図７】
2006234192.tif 000009
【図８】
2006234192.tif 000010
【図９】
2006234192.tif 000011
【図１０】
2006234192.tif 000012